(57)【要約】【課題】簡易でしかも安価に移動体端末の位置情報を取得できる移動体端末位置取得システム及び移動体端末位置取得方法を提供すること。【解決手段】移動体端末１と端末装置２との間の近距離無線通信において、移動体端末１が端末装置２の端末識別情報であるＭＡＣアドレスを取得し、そのＭＡＣアドレスを位置登録用サーバ５に送り、位置登録用サーバ５において、あらかじめ送られた端末装置２のＭＡＣアドレス及び端末装置２の端末属性情報と、移動体端末１から送られたＭＡＣアドレスとに基づいて移動体端末１の状況に関する情報を管理する。【選択図】図１
2007104245.tif 000002
【特許請求の範囲】
【請求項１】
互いに近距離無線通信が可能である移動体端末装置及び端末装置と、前記移動体端末装置及び端末装置の端末情報を登録する位置登録装置と、を備えた移動体端末位置取得システムであって、前記移動体端末装置は、前記端末装置から送られた端末装置の第１端末識別情報を格納する第１格納手段と、前記第１端末識別情報を前記位置登録装置に送る第１通信手段と、を具備し、前記位置登録装置は、あらかじめ送られた前記第１端末識別情報及び第１端末属性情報を格納する第２格納手段と、前記第２格納手段に格納された第１端末識別情報及び第１端末属性情報と前記移動体端末装置から送られた第１端末識別情報とに基づいて前記移動体端末装置の状況に関する情報を登録する登録手段と、を具備することを特徴とする移動体端末位置取得システム。
【請求項２】
互いに近距離無線通信が可能である移動体端末装置及び端末装置と、前記第１及び第２端末装置の端末情報を登録する位置登録装置と、を備えた移動体端末位置取得システムであって、前記移動体端末装置は、前記端末装置から送られた端末装置の第１端末識別情報を格納する第１格納手段と、前記第１端末識別情報を送り出すイベントを検知するイベント検知手段と、前記イベント検知手段の検知結果に基づいて前記第１端末識別情報を前記位置登録装置に送る第１通信手段と、を具備し、前記位置登録装置は、あらかじめ送られた前記第１端末識別情報及び第１端末属性情報を格納する第２格納手段と、前記第２格納手段に格納された第１端末識別情報及び第１端末属性情報と前記移動体端末装置から送られた第１端末識別情報とに基づいて前記移動体端末装置の状況に関する情報を登録する登録手段と、を具備することを特徴とする移動体端末位置取得システム。
【請求項３】
端末装置から収集した第１端末識別情報を格納する第３格納手段と、前記第３格納手段に格納された第１端末識別情報を前記位置登録装置に送る第２通信手段と、を備えた端末管理装置をさらに具備することを特徴とする請求項１又は請求項２記載の移動体端末位置取得システム。
【請求項４】
前記位置登録装置の前記第２格納手段は、前記移動体端末装置から送られた前記移動体端末装置の第２端末識別情報及び第２端末属性情報をも格納することを特徴とする請求項１から請求項３のいずれかに記載の移動体端末位置取得システム。
【請求項５】
移動体端末装置と端末装置との間で近距離無線通信により端末識別情報を送受信して移動体端末の位置を取得する移動体端末位置取得方法であって、移動体端末装置と端末装置との間の近距離無線通信において、前記移動体端末装置が前記端末装置の第１端末識別情報を取得する工程と、前記第１端末識別情報を前記位置登録装置に送る工程と、前記位置登録装置において、あらかじめ送られた前記第１端末識別情報及び第１端末属性情報と前記移動体端末装置から送られた第１端末識別情報とに基づいて前記移動体端末装置の状況に関する情報を管理する工程と、を具備することを特徴とする移動体端末位置取得方法。
【請求項６】
移動体端末装置と端末装置との間で近距離無線通信により端末識別情報を送受信して移動体端末の位置を取得する移動体端末位置取得方法であって、移動体端末装置と端末装置との間の近距離無線通信において、前記移動体端末装置が前記端末装置の第１端末識別情報を取得して格納する工程と、前記移動体端末装置において、イベントを検知したときに、格納した前記第１端末識別情報を前記位置登録装置に送る工程と、前記位置登録装置において、あらかじめ送られた前記第１端末識別情報及び第１端末属性情報と前記移動体端末装置から送られた第１端末識別情報とに基づいて前記移動体端末装置の状況に関する情報を管理する工程と、を具備することを特徴とする移動体端末位置取得方法。
【請求項７】
端末管理装置において端末装置から第１端末識別情報を収集する工程と、格納された第１端末識別情報を前記位置登録装置に送る工程と、を具備することを特徴とする請求項５又は請求項６記載の移動体端末位置取得方法。
【請求項８】
前記移動体端末装置の第２端末識別情報及び第２端末属性情報を前記移動体端末装置から前記位置登録装置に送る工程を具備ことを特徴とする請求項５から請求項７のいずれかに記載の移動体端末位置取得方法。
【発明の詳細な説明】
【技術分野】
【０００１】
本発明は移動体端末位置取得システム及び移動体端末位置取得方法に関し、特に無線ＬＡＮ（Wireless-Local  Area  Network）を用いた移動体端末位置取得システム及び移動体端末位置取得方法に関する。
【背景技術】
【０００２】
携帯電話などの移動体端末の普及に伴って、移動体端末の位置情報や近接物情報を収集し、ユーザの状況や嗜好を把握することが長年求められてきた。この要求を実現するために、基地局セル情報や、ＧＰＳから得られる情報などに基づいて移動体端末の位置情報を取得し、Ｗ−ＣＤＭＡ、ＰＤＣ、ＣＤＭＡ２０００などの長距離無線ネットワークを用いてサーバに位置情報を登録する技術が開発されている（特許文献１）。
【特許文献１】特開２００２−１８６０１２号公報
【発明の開示】
【発明が解決しようとする課題】
【０００３】
しかしながら、上述した技術においては、高コストな長距離無線ネットワークを使用するので、利用コストが高くなり、頻繁に利用できないという問題がある。このため、現状では、移動体端末の位置情報を取得し、この位置情報を種々のサービスに適用することができない状況である。一方、移動体端末を用いたシステムにおいては、移動体端末の位置情報が取得できれば、かなり広範なサービスが提供できるので、移動体端末の位置情報を取得できる簡易で安価なシステムが望まれている。
【０００４】
本発明はかかる点に鑑みてなされたものであり、簡易でしかも安価に移動体端末の位置情報を取得できる移動体端末位置取得システム及び移動体端末位置取得方法を提供することを目的とする。
【課題を解決するための手段】
【０００５】
本発明の移動体端末位置取得システムは、互いに近距離無線通信が可能である移動体端末装置及び端末装置と、前記移動体端末装置及び端末装置の端末情報を登録する位置登録装置と、を備えた移動体端末位置取得システムであって、前記移動体端末装置は、前記端末装置から送られた端末装置の第１端末識別情報を格納する第１格納手段と、前記第１端末識別情報を前記位置登録装置に送る第１通信手段と、を具備し、前記位置登録装置は、あらかじめ送られた前記第１端末識別情報及び第１端末属性情報を格納する第２格納手段と、前記第２格納手段に格納された第１端末識別情報及び第１端末属性情報と前記移動体端末装置から送られた第１端末識別情報とに基づいて前記移動体端末装置の状況に関する情報を登録する登録手段と、を具備することを特徴とする。
【０００６】
この構成によれば、普及済みの近距離無線を利用して、近距離無線通信により端末識別情報を取得し、この端末識別情報を用いて位置情報を取得するので、簡易でしかも安価に移動体端末装置の位置情報を取得することができる。
【０００７】
本発明の移動体端末位置取得システムは、互いに近距離無線通信が可能である移動体端末装置及び端末装置と、前記第１及び第２端末装置の端末情報を登録する位置登録装置と、を備えた移動体端末位置取得システムであって、前記移動体端末装置は、前記端末装置から送られた端末装置の第１端末識別情報を格納する第１格納手段と、前記第１端末識別情報を送り出すイベントを検知するイベント検知手段と、前記イベント検知手段の検知結果に基づいて前記第１端末識別情報を前記位置登録装置に送る第１通信手段と、を具備し、前記位置登録装置は、あらかじめ送られた前記第１端末識別情報及び第１端末属性情報を格納する第２格納手段と、前記第２格納手段に格納された第１端末識別情報及び第１端末属性情報と前記移動体端末装置から送られた第１端末識別情報とに基づいて前記移動体端末装置の状況に関する情報を登録する登録手段と、を具備することを特徴とする。
【０００８】
この構成によれば、普及済みの近距離無線を利用して、近距離無線通信により端末識別情報を取得し、この端末識別情報を用いて位置情報を取得するので、簡易でしかも安価に移動体端末装置の位置情報を取得することができる。また、本実施の形態によれば、端末装置に近接したとき毎に、近距離無線通信により移動体端末装置の端末識別情報が端末装置に送られないので、移動体端末装置の行動履歴をユーザが意図しない用途に利用される恐れがなくなる。その結果、セキュリティ、プライバシーの確保することができる。
【０００９】
本発明の移動体端末位置取得システムにおいては、端末装置から収集した第１端末識別情報を格納する第３格納手段と、前記第３格納手段に格納された第１端末識別情報を前記位置登録装置に送る第２通信手段と、を備えた端末管理装置をさらに具備することが好ましい。
【００１０】
本発明の移動体端末位置取得システムにおいては、前記位置登録装置の前記第２格納手段は、前記移動体端末装置から送られた前記移動体端末装置の第２端末識別情報及び第２端末属性情報をも格納することが好ましい。
【００１１】
本発明の移動体端末位置取得方法は、移動体端末装置と端末装置との間で近距離無線通信により端末識別情報を送受信して移動体端末の位置を取得する移動体端末位置取得方法であって、移動体端末装置と端末装置との間の近距離無線通信において、前記移動体端末装置が前記端末装置の第１端末識別情報を取得する工程と、前記第１端末識別情報を前記位置登録装置に送る工程と、前記位置登録装置において、あらかじめ送られた前記第１端末識別情報及び第１端末属性情報と前記移動体端末装置から送られた第１端末識別情報とに基づいて前記移動体端末装置の状況に関する情報を管理する工程と、を具備することを特徴とする。
【００１２】
この方法によれば、普及済みの近距離無線通信を利用して、近距離無線通信により端末識別情報を取得し、この端末識別情報を用いて位置情報を取得するので、簡易でしかも安価に移動体端末の位置情報を取得することができる。
【００１３】
本発明の移動体端末位置取得方法は、移動体端末装置と端末装置との間で近距離無線通信により端末識別情報を送受信して移動体端末の位置を取得する移動体端末位置取得方法であって、移動体端末装置と端末装置との間の近距離無線通信において、前記移動体端末装置が前記端末装置の第１端末識別情報を取得して格納する工程と、前記移動体端末装置において、イベントを検知したときに、格納した前記第１端末識別情報を前記位置登録装置に送る工程と、前記位置登録装置において、あらかじめ送られた前記第１端末識別情報及び第１端末属性情報と前記移動体端末装置から送られた第１端末識別情報とに基づいて前記移動体端末装置の状況に関する情報を管理する工程と、を具備することを特徴とする。
【００１４】
この方法によれば、普及済みの近距離無線を利用して、近距離無線通信により端末識別情報を取得し、この端末識別情報を用いて位置情報を取得するので、簡易でしかも安価に移動体端末装置の位置情報を取得することができる。また、本実施の形態によれば、端末装置に近接したとき毎に、近距離無線通信により移動体端末装置の端末識別情報が端末装置に送られないので、移動体端末装置の行動履歴をユーザが意図しない用途に利用される恐れがなくなる。その結果、セキュリティ、プライバシーの確保することができる。
【００１５】
本発明の移動体端末位置取得方法においては、端末管理装置において端末装置から第１端末識別情報を収集する工程と、格納された第１端末識別情報を前記位置登録装置に送る工程と、を具備することが好ましい。
【００１６】
本発明の移動体端末位置取得方法においては、前記移動体端末装置の第２端末識別情報及び第２端末属性情報を前記移動体端末装置から前記位置登録装置に送る工程を具備することが好ましい。
【発明を実施するための最良の形態】
【００１７】
本発明者らは、近距離無線通信システムの一つである無線ＬＡＮが、市場に広く普及していることに着目し、この普及済みの無線ＬＡＮ（例えば、ＷｉＦｉ（Wireless Fidelity）基盤）を活用することにより、低コストで近距離無線通信による位置情報取得を実現できることを見出し本発明をするに至った。
【００１８】
すなわち、本発明の骨子は、移動体端末装置と端末装置との間の近距離無線通信において、移動体端末装置が端末装置の第１端末識別情報を取得し、第１端末識別情報を位置登録装置に送り、位置登録装置において、あらかじめ送られた第１端末識別情報及び第１端末属性情報と移動体端末装置から送られた第１端末識別情報とに基づいて移動体端末装置の状況に関する情報を管理することにより、簡易でしかも安価に移動体端末の位置情報を取得することである。
【００１９】
以下、本発明の実施の形態について、添付図面を参照して詳細に説明する。
（実施の形態１）
図１は、本発明の実施の形態に係る移動体端末位置取得システムの概略構成を示す図である。図１に示すシステムは、移動体端末１と、この移動体端末１と近距離無線通信、例えば無線ＬＡＮ通信やBluetooth通信により通信が可能である端末装置２と、端末装置２とインターネット４のようなネットワークを介して接続された端末管理装置３及び位置登録用サーバ４とから主に構成されている。このような構成を有するシステムにおいては、移動体端末１と端末装置２との間の近距離無線通信において、移動体端末１が端末装置２の端末識別情報であるＭＡＣ（Media  Access  Control）アドレスを取得し、そのＭＡＣアドレスを位置登録用サーバ５に送り、位置登録用サーバ５において、あらかじめ送られた端末装置２のＭＡＣアドレス及び端末装置２の端末属性情報と、移動体端末１から送られたＭＡＣアドレスとに基づいて移動体端末１の状況に関する情報を管理する。なお、移動体端末１には、任意に共通ＳＳＩＤが格納されており、端末情報を位置登録用サーバに送るアプリケーションが搭載されている。
【００２０】
ここで、端末情報には、端末識別情報及び端末属性情報が含まれる。端末識別情報には、ＭＡＣアドレス、ＧＷ（Gate Way）アドレス、ホスト名、ドメイン名、これらの組み合わせなどが含まれる。端末属性情報には、電波強度、設置位置情報（ＧＰＳ（Global Positioning System）などにより求められる）、所有者情報、時刻情報、機器詳細情報などが含まれる。また、図１においては、端末装置２はインターネット４に接続された固定端末装置（基地局など）として記載されているが、本発明においては、端末装置が移動体端末１と移動通信網を介して接続された移動体端末であっても良い。また、端末装置２の端末識別情報や端末属性情報が位置登録用サーバ５に送ることができれば、端末管理装置３は設けなくても良い。また、端末装置２と端末管理装置３及び／位置登録用サーバ５との間は、移動通信網や固定通信網などを通じてインターネット４を経由して接続される。なお、図１においては、端末装置２は一つしか記載されていないが、通常は複数の端末装置が存在しており、端末管理装置３と接続されている。また、ここでは、近距離無線通信が無線ＬＡＮ通信である場合について説明する。
【００２１】
図２は、本発明の実施の形態１に係る移動体端末位置取得システムにおける移動体端末を示す概略ブロック図である。移動体端末１は、端末全体を制御する制御部１１と、端末装置２と無線ＬＡＮ通信を行う通信部１２と、種々の情報を表示する表示部１３と、端末識別情報や端末属性情報を格納する格納部１４と、格納部１４に格納された端末識別情報や端末属性情報を管理する管理部１５と、アプリケーションを動作させるアプリ制御部１６と、端末装置２から送られるサービスセットＩＤ（ＳＳＩＤ）とあらかじめ設定されたＳＳＩＤとを照合する照合部１７とから主に構成されている。
【００２２】
制御部１１は、端末識別情報や端末属性情報を含む所定の情報を格納部１４に格納したり、種々の情報を表示部１３に表示させる指示を行ったり、端末装置２との間での無線ＬＡＮ通信の指示を行う。通信部１２は、端末装置２との間で端末識別情報の送受信を行ったり、位置登録用サーバ５に対して端末識別情報や端末属性情報を送る。
【００２３】
格納部１４は、端末装置２の端末識別情報や、自装置の端末識別情報及び端末属性情報を格納する。管理部１５は、格納部１４に格納されたこれらの情報を必要に応じて位置登録用サーバ５に送るように管理を行う。なお、格納部１４は、ＲＯＭ、ＲＡＭ、ハードディスクなどにより構成される。
【００２４】
アプリ制御部１６は、制御部１１の指示に応じてアプリケーション言語（例えばＪａｖａ（登録商標）言語）で作成されたアプリケーションプログラムを実行する。アプリ制御部１６は、端末装置２からあらかじめ設定された共通ＳＳＩＤを受けたときに、端末装置２の端末識別情報、自装置の端末識別情報及び／又は端末属性情報を位置登録用サーバ５に送るアプリケーションを起動する。
【００２５】
図３は、本発明の実施の形態に係る移動体端末位置取得システムにおける端末装置を示す概略ブロック図である。端末装置２は、装置全体を制御する制御部２１と、移動体端末１と無線ＬＡＮ通信を行うと共に、端末管理装置３及び／又は位置登録用サーバ５と通信を行う通信部２２と、種々の情報を表示する表示部２３と、端末識別情報や端末属性情報を格納する格納部２４と、アプリケーションを動作させるアプリ制御部２５とから主に構成されている。
【００２６】
制御部２１は、端末識別情報や端末属性情報を含む所定の情報を格納部２４に格納したり、種々の情報を表示部２３に表示させる指示を行ったり、移動体端末１との間での無線ＬＡＮ通信の指示を行う。通信部２２は、移動体端末１との間で端末識別情報の送受信を行ったり、位置登録用サーバ５との間で端末識別情報や端末属性情報の送受信を行う。格納部２４は、移動体端末１の端末識別情報や、自装置の端末識別情報及び端末属性情報を格納する。なお、格納部２４は、ＲＯＭ、ＲＡＭ、ハードディスクなどにより構成される。アプリ制御部２５は、制御部２１の指示に応じてアプリケーション言語（例えばＪａｖａ（登録商標）言語）で作成されたアプリケーションプログラムを実行する。
【００２７】
図４は、本発明の実施の形態に係る移動体端末位置取得システムにおける端末管理装置を示す概略ブロック図である。端末管理装置３は、装置全体を制御する制御部３１と、端末装置２及び／又は位置登録用サーバ５と通信を行う通信部３２と、端末装置２から取得した端末識別情報や端末属性情報を格納する格納部３３と、端末装置２から取得した端末識別情報及び端末属性情報を管理する管理部３４とから主に構成されている。
【００２８】
制御部３１は、端末装置２から端末識別情報や端末属性情報を含む所定の情報を通信部３２を通じて取得したり、これらの情報を格納部３３に格納したり、端末装置２及び／又は位置登録用サーバ５との間での通信の指示を行う。通信部３２は、端末装置２及び／又は位置登録用サーバ５との間で端末識別情報や端末属性情報の送受信を行う。格納部３３は、端末装置２の端末識別情報を格納する。なお、格納部３３は、ＲＯＭ、ＲＡＭ、ハードディスクなどにより構成される。格納部３３は、図６に示すような管理テーブルを有している。図６に示す管理テーブルは、端末装置２の端末識別情報であるＭＡＣアドレスと、端末装置２の端末属性情報である端末装置２の位置、種別（例えば、設置場所の種別）及び機器情報とを関連づけている。なお、格納部３３の管理テーブルの項目は、図６に示すものに限定されず、少なくとも端末識別情報が含まれることを条件に、適宜変更することができる。管理部３４は、格納部３３に格納されている端末識別情報や端末属性情報を管理する。
【００２９】
図５は、本発明の実施の形態に係る移動体端末位置取得システムにおける位置登録用サーバを示す概略ブロック図である。位置登録用サーバ５は、装置全体を制御する制御部５１と、端末装置２及び／又は端末管理装置３と通信を行う通信部５２と、移動体端末１及び／又は端末管理装置３から送られた端末識別情報や端末属性情報を格納する格納部５３と、移動体端末１及び／又は端末管理装置３から送られた端末識別情報及び端末属性情報を管理する管理部５４とから主に構成されている。
【００３０】
制御部５１は、端末管理装置３から端末識別情報や端末属性情報を含む所定の情報を通信部５２を通じて取得したり、これらの情報を格納部５３に格納したり、端末装置２及び／又は端末管理装置３との間での通信の指示を行う。通信部３２は、移動体端末１、端末装置２及び／又は位置登録用サーバ５との間で端末識別情報や端末属性情報の送受信を行う。格納部５３は、移動体端末１及び／又は端末装置２の端末識別情報（必要に応じて端末属性情報も含む）を格納する。なお、格納部５３は、ＲＯＭ、ＲＡＭ、ハードディスクなどにより構成される。格納部５３は、図６及び図７に示すような管理テーブルを有している。図６に示す管理テーブルは、端末装置２の端末識別情報であるＭＡＣアドレスと、端末装置２の端末属性情報である端末装置２の位置、種別（設置場所の種別）及び機器情報とを関連づけている。なお、格納部３３の管理テーブルの項目は、図６に示すものに限定されず、少なくとも端末識別情報が含まれることを条件に、適宜変更することができる。また、図７に示す管理テーブルは、移動体端末１の端末識別情報であるＭＡＣアドレスと、移動体端末１の端末属性情報である移動体端末１のユーザ名、位置、時刻（例えば、無線ＬＡＮ通信を行った時刻）、設置場所の種別）及び機器情報とを関連づけている。なお、格納部５３の管理テーブルの項目は、図６及び図７に示すものに限定されず、少なくとも端末識別情報が含まれることを条件に、適宜変更することができる。管理部５４は、格納部５３に格納されている移動体端末１及び端末装置２の端末識別情報や端末属性情報を管理し、必要に応じて端末装置２と移動体端末１との間の近接状況を求める。
【００３１】
上記構成を有する移動体端末位置取得システムにおいては、移動体端末１と端末装置２との間で無線ＬＡＮ通信を行って、あらかじめ設定された共通ＳＳＩＤが照合されたときに、移動体端末１が端末装置２の端末識別情報を取得し、その端末識別情報を位置登録用サーバ５に送る。位置登録用サーバ５では、移動体端末１から送られた端末識別情報を管理する。位置登録用サーバ５には、あらかじめ端末装置２の端末識別情報が登録されているので、移動体端末１から送られてきた端末識別情報とあらかじめ登録された端末識別情報とを比較することにより、移動体端末１がどの端末装置２の近くにいるかを把握することができる。このようにして移動体端末１の状況に関する情報を得ることができる。位置登録用サーバ５は、この移動体端末１の状況に関する情報を登録しておき、必要に応じて移動体端末１、端末装置２、及び／又は端末管理装置３に通知する。移動体端末１、端末装置２、及び／又は端末管理装置３では、移動体端末１の状況に関する情報を受けたときに種々の動作、例えば情報表示、アプリケーション起動などを行う。
【００３２】
このように、本実施の形態に係る移動体端末位置取得システムにおいては、普及済みの無線ＬＡＮ（例えば、ＷｉＦｉ基盤）を利用して、無線ＬＡＮ通信により端末識別情報を取得し、この端末識別情報を用いて位置情報を取得するので、簡易でしかも安価に移動体端末の位置情報を取得することができる。
【００３３】
図８は、本発明の実施の形態１に係る移動体端末位置取得方法を示すシーケンス図である。まず、あらかじめ移動体端末１の端末識別情報や端末属性情報（併せて端末情報Ａ）を位置登録用サーバ５に送る（ＳＴ１１）。このとき、移動体端末１は、移動通信網及びインターネット４を介して位置登録用サーバ５に端末情報Ａを送る。この端末情報Ａは、位置登録用サーバ５の格納部５３に格納され、管理部５４で管理される。この端末情報Ａは、図７に示すような管理テーブルとして管理される。なお、位置登録用サーバ５に端末情報Ａを送るのは任意であり、必ず行う必要はない。
【００３４】
また、あらかじめ端末装置２の端末識別情報や端末属性情報（併せて端末情報Ｂ）を位置登録用サーバ５に送る（ＳＴ１２、ＳＴ１３）。このとき、端末装置２は、インターネット４を介して端末管理装置３に端末情報Ｂを送り（ＳＴ１２）、端末管理情報３が位置登録用サーバ５に端末情報Ｂを送る（ＳＴ１３）。この端末情報Ｂは、端末管理装置３の格納部３３及び位置登録用サーバ５の格納部５３に格納され、それぞれ管理部３４，５４で管理される。この端末情報Ｂは、図６に示すような管理テーブルとして管理される。なお、位置登録用サーバ５に端末情報Ｂを送るのは任意であり、必ず行う必要はない。
【００３５】
次いで、端末管理装置３が各端末装置２に共通ＳＳＩＤを送る（ＳＴ１４）。この共通ＳＳＩＤは、端末装置２の格納部２４に格納される。また、この共通ＳＳＩＤは、何らかの方法であらかじめ移動体端末１にも組み込まれている。移動体端末１において、共通ＳＳＩＤは格納部１４に格納される。
【００３６】
次いで、移動体端末１と端末装置２との間で無線ＬＡＮ通信を行う（ＳＴ１５〜ＳＴ１７）。この無線ＬＡＮ通信の手順は、ＩＥＥＥ８０２．１１における接続時の標準手順と同じである。まず、端末装置２は、無線ＬＡＮ信号の到達範囲に報知信号としてビーコンを送信する（ＳＴ１５）。このビーコンには、共通ＳＳＩＤ、端末装置の端末識別情報であるＭＡＣアドレスなどが含まれる。次いで、移動体端末１が無線ＬＡＮ信号の到達範囲に入り、そのビーコンを受けると、照合部１７で格納部１４に格納されている共通ＳＳＩＤとビーコンに含まれる共通ＳＳＩＤとを照合する。そして、共通ＳＳＩＤが一致した場合には、認証・アソシエーション処理を行った（ＳＴ１６）後に、無線ＬＡＮ接続が行われる（ＳＴ１７）。なお、認証・アソシエーション処理において、移動体端末１と端末装置２との間でＧＷアドレスやホストアドレスなどが送受信される。また、無線ＬＡＮ接続中においては、端末装置２の端末属性情報も端末装置２から移動体端末１に送られる。移動体端末１において、取得した端末装置２の端末識別情報及び端末属性情報（端末情報Ｂ）は、格納部１４に格納される。
【００３７】
上記手順では、端末装置２から移動体端末１に報知信号としてビーコンを送信する態様について説明しているが、端末装置２からビーコンを送信する代わりに、まず、移動体端末１から端末装置２にプローブ要求を行い、端末装置２がプローブ要求を受信した際にプローブ応答を移動体端末１に送信するようにしても良い。なお、プローブ要求には、移動体端末１の端末識別情報であるＭＡＣアドレスなどが含まれ、プローブ応答には、共通ＳＳＩＤや、端末装置２の端末識別情報であるＭＡＣアドレスなどが含まれる。
【００３８】
照合部１７で共通ＳＳＩＤを照合して共通ＳＳＩＤが一致していれば、照合部１７からアプリ制御部１６に制御信号が送られ、アプリ制御部１６により端末情報を送信するアプリケーションが起動する。このアプリケーションが起動すると、無線ＬＡＮ接続を通じて、格納部１４に格納された端末情報Ｂ（少なくとも端末識別情報及び端末属性情報）を位置登録用サーバ５に送る（ＳＴ１８）。なお、移動体端末１は、必要に応じて、端末情報Ｂに端末情報Ａを組み合わせて位置登録用サーバ５に送る。これにより、位置登録用サーバ５において、移動体端末１のより詳細な位置情報や近接情報（どの端末装置と接近しているか）などを得ることができる。
【００３９】
移動体端末１から位置登録用サーバ５に端末情報を送る際に、移動体端末１と位置登録用サーバ５との間で認証／秘匿処理を行うことにより、なりすましや盗聴を防止することができる。この認証／秘匿処理としては、ＥＡＰ−ＡＫＡ、ＥＡＰ−ＳＳＬ、ベーシック認証、ダイジェスト認証などの認証や、ＩＰ＿ＳＥＣ、ＳＳＬ、ＴＳＬ、ＶＰＮなどを利用したセキュア通信などが挙げられる。
【００４０】
次いで、位置登録サーバ５においては、移動体端末１から送られた端末情報Ａ，Ｂを格納部５３に格納する。管理部５４は、あらかじめ登録された端末情報Ｂと移動体端末１から送られてきた端末情報Ｂとを比較して、現在、移動体端末１がどの端末装置２の近くにいるかを求める（ＳＴ１９）。端末情報Ｂには、端末属性情報として位置情報が含まれているので、その位置情報により移動体端末１の位置を取得することができる。
【００４１】
このような移動体端末１の状況に関する情報（位置情報や近接情報）は、必要に応じて移動体端末１、端末装置２、端末管理装置３に通知される（ＳＴ２０、ＳＴ２２、ＳＴ２４）。この通知の際に、移動体端末１に対しては近接した端末装置の端末情報Ｂ（機器名、所有ユーザ名、スポット名など）を送っても良く、端末装置２に対しては端末情報Ａ，Ｂ（機器名、所有ユーザ名など）を送っても良く、端末管理装置３に対しては端末情報Ａ（機器名、所有ユーザ名など）を送っても良い。
【００４２】
移動体端末１においては、情報通知があったときには、その情報を格納部１４に格納し、制御部１１の指示により表示部１３に情報を画面表示する（ＳＴ２１）。また、端末装置に近接した時刻と組み合わせて、格納部１４に格納しても良い。これにより、移動体端末１のユーザの行動履歴をとることが可能となる。一方、端末装置２や端末管理装置３においては、情報通知があったときには、適切なサービスを行って情報を提示する（ＳＴ２３、ＳＴ２５）。適切なサービスとは、例えば、店舗のホットスポットの場合において、定員に近接情報を知らせた上で対応するサービスなどである。なお、情報通知後の動作や行動については、これらに限定されない。
【００４３】
（実施の形態２）
本実施の形態に係る移動体端末位置取得システムにおいては、図１に示す移動体端末１と端末装置２との間の近距離無線通信において、移動体端末１が端末装置２の端末識別情報であるＭＡＣアドレスを取得し、そのＭＡＣアドレスを格納して貯めておき、あるイベントが発生したとき、例えば移動体端末１が特定の無線ＬＡＮセル内に在圏したときに、そのＭＡＣアドレスを位置登録用サーバ５に送り、位置登録用サーバ５において、あらかじめ送られた端末装置２のＭＡＣアドレス及び端末装置２の端末属性情報と、移動体端末１から送られたＭＡＣアドレスとに基づいて移動体端末１の状況に関する情報を管理する。なお、移動体端末１には、任意に共通ＳＳＩＤが格納されており、端末情報を位置登録用サーバに送るアプリケーションが搭載されている。
【００４４】
図９は、本発明の実施の形態２に係る移動体端末位置取得システムにおける移動体端末を示す概略ブロック図である。図９において図２と同じ部分については図２と同じ符号を付してその詳細な説明は省略する。図９に示す移動体端末は、特定のイベントが発生したことを検知するトリガ検知部１８を有する。
【００４５】
本実施の形態においてイベントとは、移動体端末１がある特定の無線ＬＡＮセルに在圏したこと、端末情報がある蓄積量を超えたこと、一定時間が経過したこと、一定時刻になったこと、移動体端末１においてユーザが特定の操作（電話発呼、データ通信実施、電源の投入／切断）を行うこと、特定のサーバに接続したこと、などを挙げることができる。したがって、トリガ検知部１８は、検知するイベントにより異なる構成をとる。例えば、イベントが一定時間経過、一定時刻である場合には、イベント検知部１８はタイマなどにより構成され、移動体端末１がある特定の無線ＬＡＮセルに在圏したこと、移動体端末１においてユーザが特定の操作を行うこと、特定のサーバに接続したこと、端末情報がある蓄積量を超えたこと、などの場合には、移動体端末１のネイティブ機能と連携することにより構成される。
【００４６】
また、本実施の形態においては、取得した端末装置２の端末識別情報を貯めておくので、移動体端末１の格納部１４では、図１０に示すような管理テーブルで端末識別情報を管理する。この管理テーブルにより、移動体端末１（ユーザ）の行動履歴を管理することが可能となる。
【００４７】
上記構成を有する移動体端末位置取得システムにおいては、あらかじめ設定された共通ＳＳＩＤが照合されたときに、移動体端末１が端末装置２の端末識別情報を取得して蓄積し、特定のイベントが発生したときにそれをトリガとして、蓄積した端末識別情報を位置登録用サーバ５に送る。位置登録用サーバ５では、移動体端末１から送られた端末識別情報を管理する。位置登録用サーバ５には、あらかじめ端末装置２の端末識別情報が登録されているので、移動体端末１から送られてきた端末識別情報とあらかじめ登録された端末識別情報とを比較することにより、移動体端末１がどの端末装置２の近くにいるかを把握することができると共に、移動体端末１の行動履歴も把握することができる。このようにして移動体端末１の状況に関する情報を得ることができる。位置登録用サーバ５は、この移動体端末１の状況に関する情報を登録しておき、必要に応じて移動体端末１、端末装置２、及び／又は端末管理装置３に通知する。移動体端末１、端末装置２、及び／又は端末管理装置３では、移動体端末１の状況に関する情報を受けたときに種々の動作、例えば情報表示、アプリケーション起動などを行う。
【００４８】
このように、本実施の形態に係る移動体端末位置取得システムにおいては、普及済みの無線ＬＡＮを利用して、無線ＬＡＮ通信により端末識別情報を取得し、この端末識別情報を用いて位置情報を取得するので、簡易でしかも安価に移動体端末の位置情報を取得することができる。また、本実施の形態によれば、端末装置２に近接したとき毎に、無線ＬＡＮ通信により移動体端末１の端末識別情報が端末装置２に送られないので、移動体端末１の行動履歴をユーザが意図しない用途に利用される恐れがなくなる。その結果、セキュリティ、プライバシーの確保することができる。
【００４９】
図１１は、本発明の実施の形態２に係る移動体端末位置取得方法を示すシーケンス図である。まず、あらかじめ移動体端末１の端末識別情報や端末属性情報（併せて端末情報Ａ）を位置登録用サーバ５に送る（ＳＴ３１）。このとき、移動体端末１は、移動通信網及びインターネット４を介して位置登録用サーバ５に端末情報Ａを送る。この端末情報Ａは、位置登録用サーバ５の格納部５３に格納され、管理部５４で管理される。この端末情報Ａは、図７に示すような管理テーブルとして管理される。なお、位置登録用サーバ５に端末情報Ａを送るのは任意であり、必ず行う必要はない。
【００５０】
また、あらかじめ端末装置２の端末識別情報や端末属性情報（併せて端末情報Ｂ）を位置登録用サーバ５に送る（ＳＴ３２、ＳＴ３３）。このとき、端末装置２は、インターネット４を介して端末管理装置３に端末情報Ｂを送り（ＳＴ３２）、端末管理情報３が位置登録用サーバ５に端末情報Ｂを送る（ＳＴ３３）。この端末情報Ｂは、端末管理装置３の格納部３３及び位置登録用サーバ５の格納部５３に格納され、それぞれ管理部３４，５４で管理される。この端末情報Ｂは、図６に示すような管理テーブルとして管理される。なお、位置登録用サーバ５に端末情報Ｂを送るのは任意であり、必ず行う必要はない。
【００５１】
次いで、端末管理装置３が各端末装置２に共通ＳＳＩＤを送る（ＳＴ３４）。この共通ＳＳＩＤは、端末装置２の格納部２４に格納される。また、この共通ＳＳＩＤは、何らかの方法であらかじめ移動体端末１にも組み込まれている。移動体端末１において、共通ＳＳＩＤは格納部１４に格納される。
【００５２】
次いで、端末装置２は、無線ＬＡＮ信号の到達範囲に報知信号としてビーコンを送信する（ＳＴ３５）。このビーコンには、共通ＳＳＩＤ、端末装置の端末識別情報であるＭＡＣアドレスなどが含まれる。次いで、移動体端末１が無線ＬＡＮ信号の到達範囲に入り、そのビーコンを受けると、照合部１７で格納部１４に格納されている共通ＳＳＩＤとビーコンに含まれる共通ＳＳＩＤとを照合する。そして、共通ＳＳＩＤが一致した場合には、ビーコンに含まれる端末装置２の端末識別情報及び端末属性情報（端末情報Ｂ）を格納部１４に格納する（ＳＴ３６）。このようにして、移動体端末１は、近接した端末装置の端末情報Ｂを蓄積する。
【００５３】
次いで、特定のイベントが発生すると（ＳＴ３７）、これをトリガ検知部１８が検知する。トリガ検知部１８は、制御部１１に制御信号を送り、制御部１１が、蓄積した端末情報Ｂを位置登録用サーバ５に送ることを通信部１２に指示する。通信部１２は、蓄積した端末情報Ｂを必要に応じて自装置の端末識別情報及び端末属性情報（端末情報Ａ）と共に位置登録用サーバ５に送る（ＳＴ３８）。
【００５４】
移動体端末１が位置登録用サーバ５に端末情報を送る場合には、無線ＬＡＮ通信を用いても良く、無線ＬＡＮ通信以外の長距離無線通信（例えば、Ｗ−ＣＤＭＡ通信）を用いても良い。無線ＬＡＮ通信を行う場合には、実施の形態１と同様にＩＥＥＥ８０２．１１における接続時の標準手順を用いる（ＳＴ１５〜ＳＴ１７）。また、端末装置２が無線ＬＡＮ基地局である場合には、共通ＳＳＩＤをインフラストラクチャモードに設定し、端末装置２が他の移動体端末である場合には、共通ＳＳＩＤをアドホックモードに設定する。また、長距離無線通信を用いる場合には、無線ＬＡＮ通信と異なり、端末装置２の端末識別情報を受信したときに、移動体端末１の端末識別情報をネットワーク側に送ることがないので、移動体端末１のリソースの浪費を回避し、セキュリティの確保を行うことができる。
【００５５】
実施の形態１の手順では、端末装置２から移動体端末１に報知信号としてビーコンを送信する態様について説明しているが、端末装置２からビーコンを送信する代わりに、まず、移動体端末１から端末装置２にプローブ要求を行い、端末装置２がプローブ要求を受信した際にプローブ応答を移動体端末１に送信するようにしても良い。なお、プローブ要求には、移動体端末１の端末識別情報であるＭＡＣアドレスなどが含まれ、プローブ応答には、共通ＳＳＩＤや、端末装置２の端末識別情報であるＭＡＣアドレスなどが含まれる。
【００５６】
移動体端末１から位置登録用サーバ５に端末情報を送る際に、移動体端末１と位置登録用サーバ５との間で認証／秘匿処理を行うことにより、なりすましや盗聴を防止することができる。この認証／秘匿処理としては、ＥＡＰ−ＡＫＡ、ＥＡＰ−ＳＳＬ、ベーシック認証、ダイジェスト認証などの認証や、ＩＰ＿ＳＥＣ、ＳＳＬ、ＴＳＬ、ＶＰＮなどを利用したセキュア通信などが挙げられる。
【００５７】
次いで、位置登録サーバ５においては、移動体端末１から送られた端末情報Ａ，Ｂを格納部５３に格納する。管理部５４は、あらかじめ登録された端末情報Ｂと移動体端末１から送られてきた端末情報Ｂとを比較して、現在、移動体端末１がどの端末装置２の近くにいるかを求める（ＳＴ３９）。端末情報Ｂには、端末属性情報として位置情報が含まれているので、その位置情報により移動体端末１の位置を取得することができる。
【００５８】
このような移動体端末１の状況に関する情報（位置情報や近接情報）は、必要に応じて移動体端末１、端末装置２、端末管理装置３に通知される（ＳＴ４０、ＳＴ４２、ＳＴ４４）。この通知の際に、移動体端末１に対しては近接した端末装置の端末情報Ｂ（機器名、所有ユーザ名、スポット名など）を送っても良く、端末装置２に対しては端末情報Ａ，Ｂ（機器名、所有ユーザ名など）を送っても良く、端末管理装置３に対しては端末情報Ａ（機器名、所有ユーザ名など）を送っても良い。
【００５９】
移動体端末１においては、情報通知があったときには、その情報を格納部１４に格納し、制御部１１の指示により表示部１３に情報（行動履歴など）を画面表示する（ＳＴ４１）。また、端末装置に近接した時刻と組み合わせて、格納部１４に格納しても良い。これにより、移動体端末１のユーザの行動履歴をとることが可能となる。一方、端末装置２や端末管理装置３においては、情報通知があったときには、適切なサービスを行って情報を提示する（ＳＴ４３、ＳＴ４５）。適切なサービスとは、例えば、店舗のホットスポットの場合において、特定ユーザの来店時間を管理して対応するサービスなどである。なお、情報通知後の動作や行動については、これらに限定されない。また、端末装置２や端末管理装置３においては、来店履歴などを顧客情報として利用してサービス向上を図ることもできる。
【００６０】
（実施の形態３）
本実施の形態に係る移動体端末位置取得システムにおいては、図１に示す移動体端末１と端末装置２との間の近距離無線通信において、移動体端末１と端末装置２との間の近距離無線通信で、移動体端末１が自装置の端末識別情報を変更して端末装置２（ネットワーク側）に送る。
【００６１】
図１２は、本発明の実施の形態３に係る移動体端末位置取得システムにおける移動体端末を示す概略ブロック図である。図１２において図２と同じ部分については図２と同じ符号を付してその詳細な説明は省略する。図１２に示す移動体端末は、自装置の端末識別情報（ここではＭＡＣアドレス）を変更する変更部１９を有する。
【００６２】
変更部１９により端末識別情報を変更するタイミングは、近距離無線通信の接続毎、他の端末装置２からのビーコンを受信したとき、プローブ要求の応答のとき、一定時間経過後、一定時刻後、所定回数の接続後、移動体端末１におけるユーザの特定の操作（データ通信実施、音声通信実施、電源の投入／切断など）を行ったときなどが挙げられる。また、変換部１９における端末識別情報を変更する方法としては、第三者に解析されない方法、例えば、複数の端末識別情報のそれぞれに事前に設定した特定の値を加減算、剰余算、ＭＯＤ計算、ハッシュ、乱数、カオス計算などする方法、時刻情報に基づいて乱数、算術演算をする方法などが挙げられる。端末識別情報、例えばＭＡＣアドレスは有限であるので、これらのＭＡＣアドレスを使いまわす必要がある。この場合においても、使いまわしの順番は乱数、時刻情報に基づく算術演算などにより行う。
【００６３】
無線ＬＡＮ通信においては、一般に、端末装置との間の接続にセキュリティを向上するためにＭＡＣアドレスフィルタリング機能が利用される。したがって、この機能と抵触しないように、特定のＳＳＩＤを受信したときのみＭＡＣアドレスを変更する処理を行うことが望ましい。反対に、特定のＳＳＩＤを受信したとき、あるいは、特定のＳＳＩＤで特定の端末装置との接続に固定のＭＡＣアドレスを用いるようにしても良い。
【００６４】
例えば、特定のＳＳＩＤを受信したときにＭＡＣアドレスを変更する場合には、受信したＳＳＩＤを照合部１７で照合し、あらかじめ保持する特定のＳＳＩＤと一致したときに、制御部１１に制御信号を出力し、制御部１１が変更部１９に制御信号を送る。変更部１９は、その制御信号を受け取ると、ＭＡＣアドレスを変更する。具体的には、図１３に示すように、複数のＭＡＣアドレス６１，６２がリスト化されて格納部１４に格納されており、そのリストにおいてＭＡＣアドレスを変更する。
【００６５】
このように、本実施の形態に係る移動体端末位置取得システムにおいては、端末識別情報を適宜変更するので、移動体端末１が端末装置２に近接したとき毎に、無線ＬＡＮ通信により移動体端末１の端末識別情報が端末装置２に送られても、移動体端末１の行動履歴をトレースされることがない。その結果、セキュリティ、プライバシーの確保することができる。
【００６６】
なお、本実施の形態において、移動体端末１が端末装置２の端末識別情報であるＭＡＣアドレスを取得し、そのＭＡＣアドレスを位置登録用サーバ５に送り、位置登録用サーバ５において、あらかじめ送られた端末装置２のＭＡＣアドレス及び端末装置２の端末属性情報と、移動体端末１から送られたＭＡＣアドレスとに基づいて移動体端末１の状況に関する情報を管理する手順については、上記実施の形態１と同じである。その他、上記実施の形態１から３については、適宜組み合わせて実施することが可能である。
【００６７】
本発明は上記実施の形態１〜３に限定されず、種々変更して実施することが可能である。例えば、上記実施の形態１〜３における処理手順は一例であり、本発明の範囲を逸脱しない範囲で適宜変更して実施することができる。上記実施の形態１〜３における位置情報の利用方法についても一例であり、取得した移動体端末１の位置情報を他の用途やサービスに利用しても良い。また、上記実施の形態１〜３においては、端末情報を自動的に位置登録用サーバに送るアプリケーションを移動体端末に搭載した場合について説明しているが、本発明においては、端末情報を自動的に位置登録用サーバに送るアプリケーションを端末装置に搭載しても良い。また、上記実施の形態１〜３においては、近距離無線通信が無線ＬＡＮ通信である場合について説明しているが、本発明においては、近距離無線通信がBluetooth通信などの他の通信であっても良い。その他、本発明の範囲を逸脱しない限りにおいて適宜変更して実施することが可能である。
【図面の簡単な説明】
【００６８】
【図１】本発明の実施の形態に係る移動体端末位置取得システムの概略構成を示す図である。
【図２】本発明の実施の形態１に係る移動体端末位置取得システムにおける移動体端末を示す概略ブロック図である。
【図３】本発明の実施の形態に係る移動体端末位置取得システムにおける端末装置を示す概略ブロック図である。
【図４】、本発明の実施の形態に係る移動体端末位置取得システムにおける端末管理装置を示す概略ブロック図である。
【図５】本発明の実施の形態に係る移動体端末位置取得システムにおける位置登録用サーバを示す概略ブロック図である。
【図６】端末管理装置及び位置登録用サーバにおける管理テーブルを示す図である。
【図７】位置登録用サーバにおける管理テーブルを示す図である。
【図８】本発明の実施の形態１に係る移動体端末位置取得方法を示すシーケンス図である。
【図９】本発明の実施の形態２に係る移動体端末位置取得システムにおける移動体端末を示す概略ブロック図である。
【図１０】移動体端末における管理テーブルを示す図である。
【図１１】本発明の実施の形態２に係る移動体端末位置取得方法を示すシーケンス図である。
【図１２】本発明の実施の形態３に係る移動体端末位置取得システムにおける移動体端末を示す概略ブロック図である。
【図１３】移動体端末におけるＭＡＣアドレスリストを示す図である。
【符号の説明】
【００６９】
１  移動体端末
２  端末装置
３  端末管理装置
４  インターネット
５  位置登録用サーバ
１１，２１，３１，５１  制御部
１２，２２，３２，５２  通信部
１３，２３  表示部
１４，２４，３３，５３  格納部
１５，３４，５４  管理部
１６，２５  アプリ制御部
１７  照合部
１８  トリガ検知部
１９  変更部
【図１】
2007104245.tif 000003
【図２】
2007104245.tif 000004
【図３】
2007104245.tif 000005
【図４】
2007104245.tif 000006
【図５】
2007104245.tif 000007
【図６】
2007104245.tif 000008
【図７】
2007104245.tif 000009
【図８】
2007104245.tif 000010
【図９】
2007104245.tif 000011
【図１０】
2007104245.tif 000012
【図１１】
2007104245.tif 000013
【図１２】
2007104245.tif 000014
【図１３】
2007104245.tif 000015